(57)【要約】  保守員が乗りかご上で作業する場合、乗りかごの上部の乗場側に扉を立設することで、乗りかごを上昇させたとき、乗場ドア装置またはかごドア装置側への進入を防止する。これにより、昇降路天井付近において支持部材とかごドア装置との間に保守員の体の一部または全部が挟まれることを効果的に防止できるエレベータ装置を提供することを目的とする。エレベータ装置は、一方が第一のガイドレールの上部に固定されると共に他方が乗場側へ延伸される第一の支持部材と、一方が第二のガイドレールの上部に固定されると共に他方が乗場側へ延伸される第二の支持部材と、一方が第一の支持部材の乗場側に、他方が第二の支持部材の乗場側にそれぞれ固定される第三の支持部材と、垂直投影面から見て第三の支持部材よりも反乗場側の乗りかごの上部に立設され、乗場から乗りかごの上部の作業エリアまで保守員が往来するときに通過可能な開閉式の扉と、を備えた。
2017081789.tif 000002
【特許請求の範囲】
【請求項１】
昇降路内に設けられた巻上機に昇降路上部にロープ端末部が固定される方式のロープ掛けによるエレベータロープを介して昇降可能に吊り下げられる乗りかごおよび釣合い重りと、前記乗りかごおよび釣合い重りの昇降をガイドする複数本のガイドレールとを有するエレベータ装置において、
前記昇降路を垂直投影面から見て、前記釣合い重り側または前記釣合い重りの反対側の前記昇降路頂部において、前記昇降路壁と前記乗りかごとの間に略水平方向に配置され、一方が第一のガイドレールの上部に固定されると共に他方が乗場側へ延伸される第一の支持部材と、
前記第一の支持部材の反対側において前記昇降路壁と前記乗りかごとの間に略水平方向に配置され、一方が第二のガイドレールの上部に固定されると共に他方が乗場側へ延伸される第二の支持部材と、
かごドア装置の垂直投影面上から乗場側の前記昇降路壁との間に略水平方向に配置され、一方が前記第一の支持部材の乗場側に、他方が前記第二の支持部材の乗場側にそれぞれ固定される第三の支持部材と、
垂直投影面から見て前記第三の支持部材よりも反乗場側の前記乗りかごの上部に立設され、前記乗場から前記乗りかごの上部の作業エリアまで保守員が往来するときに通過可能な開閉式の扉と、を備えたことを特徴とするエレベータ装置。
【請求項２】
前記エレベータロープの端末部が前記第一の支持部材または前記第二の支持部材または前記第三の支持部材のいずれかに固定されていることを特徴とする請求項１に記載のエレベータ装置。
【請求項３】
前記昇降路内に設けられるエレベータ制御盤などの機器が前記第一の支持部材または前記第二の支持部材または前記第三の支持部材のいずれかに連結固定されていることを特徴とする請求項１または請求項２のいずれかに記載のエレベータ装置。
【請求項４】
前記扉の開閉状態を検出する検出手段を備え、前記検出手段で検出した前記扉の開閉状態に応じて前記エレベータ制御盤が前記乗りかごの運転を制御することを特徴とする請求項１〜３のいずれかに記載のエレベータ装置。
【請求項５】
前記扉を開錠または施錠するロック機構を備え、前記エレベータ制御盤から出力された前記乗りかごの運転状態に応じて前記ロック機構が前記扉を開錠または施錠することを特徴とする請求項１〜４のいずれかに記載のエレベータ装置。
【発明の詳細な説明】
【技術分野】
【０００１】
この発明は、機械室レスエレベータに関して有効となる支持構造に関するものである。
【背景技術】
【０００２】
機械室レスエレベータにおいては昇降路頂部にロープ端部を固定する支持部材が必要になる。支持部材をガイドレールに取り付けてロープ端部荷重を片持ち梁にて支持する方式があるが、レイアウト上ガイドレールからロープ端部が乗場側に離れている場合においてはガイドレールに作用する曲げモーメントが大きくなるので構成することができない。また、制御盤等の電気機器もガイドレールから乗場側に離れた位置に設置する場合も同様である。そこで、支持部材に作用する懸架手段の張力を複数の支持部材（側梁）に分けて負担し、また、支持部材を機械台とかご側ガイドレールとに固定したので、支持部材を建物に取り付けず、エレベータ装置を建物に設置するための設計の手間を軽減することができる構成（例えば特許文献１）がある。
【先行技術文献】
【特許文献】
【０００３】
【特許文献１】ＷＯ２０１２／０２３２０４
【発明の概要】
【発明が解決しようとする課題】
【０００４】
このようなエレベータ装置において、保守員が乗りかご上で作業する場合、乗りかごを上昇させたとき、昇降路天井付近において保守員の作業位置によっては、支持部材とかごドア装置との間に保守員の体の一部または全部が挟まれてしまうという課題があった。【０００５】
この発明は、上記のような課題を解決するためになされたものであり、保守員が乗りかご上で作業する場合、乗場から乗りかごの上部の作業エリアまで往来するときに通過する経路上であって、乗りかごの上部の乗場側に扉を立設することで、乗りかごを上昇させたとき、乗場ドア装置またはかごドア装置側への進入を防止する。これにより、昇降路天井付近において支持部材とかごドア装置との間に保守員の体の一部または全部が挟まれることを効果的に防止できるエレベータ装置を提供することを目的とする。
【課題を解決するための手段】
【０００６】
この発明にかかるエレベータ装置は、昇降路内に設けられた巻上機に昇降路上部にロープ端末部が固定される方式のロープ掛けによるエレベータロープを介して昇降可能に吊り下げられる乗りかごおよび釣合い重りと、前記乗りかごおよび釣合い重りの昇降をガイドする複数本のガイドレールとを有するエレベータ装置において、昇降路を垂直投影面から見て、釣合い重り側または釣合い重りの反対側の昇降路頂部において、昇降路壁と乗りかごとの間に略水平方向に配置され、一方が第一のガイドレールの上部に固定されると共に他方が乗場側へ延伸される第一の支持部材と、第一の支持部材の反対側において昇降路壁と乗りかごとの間に略水平方向に配置され、一方が第二のガイドレールの上部に固定されると共に他方が乗場側へ延伸される第二の支持部材と、かごドア装置の垂直投影面上から乗場側の昇降路壁との間に略水平方向に配置され、一方が第一の支持部材の乗場側に、他方が第二の支持部材の乗場側にそれぞれ固定される第三の支持部材と、垂直投影面から見て第三の支持部材よりも反乗場側の乗りかごの上部に立設され、乗場から乗りかごの上部の作業エリアまで保守員が往来するときに通過可能な開閉式の扉と、を備えたことを特徴とするものである。
【発明の効果】
【０００７】
この発明は、一方が第一の支持部材、他方が第二の支持部材のいずれも乗場側に第三の支持部材が連結固定されており、垂直投影面から見て第三の支持部材よりも反乗場側の乗りかごの上部に立設され、乗場から乗りかごの上部の作業エリアまで保守員が往来するときに通過可能な開閉式の扉を備えることで、乗りかごを上昇させたとき、保守員が乗りかごの上部の作業エリアから乗場ドア装置またはかごドア装置側への進入を防止する。これにより、昇降路内のスペースを有効活用及び建築計画の簡素化を実現できると共に昇降路天井付近において第三の支持部材とかごドア装置との間に保守員の体の一部または全部が挟まれることを効果的に防止できるエレベータ装置を実現できる。
【図面の簡単な説明】
【０００８】
【図１】この発明の実施の形態１によるエレベータ装置全体を示す平面図である。
【図２】この発明の実施の形態１による巻上機側を示す図１の側面図である。
【図３】この発明の実施の形態１によるかご綱止側を示す図１の側面図である。
【図４】この発明の実施の形態１によるエレベータ装置の要部を示す正面図である。
【図５】この発明の実施の形態２による扉が閉状態を示す図４の平面図である。
【図６】この発明の実施の形態２による扉が開状態を示す図４の平面図である。
【図７】この発明の実施の形態２によるエレベータ装置の要部を示す正面図である
【図８】この発明の実施の形態３によるエレベータ装置全体を示す平面図である。
【発明を実施するための形態】
【０００９】
実施の形態１．
図１〜３は、この発明の実施の形態１によるエレベータ装置を説明するもので、図１は要部を示す平面図、図２は装置全体を示す巻上機側の側面図、図３は装置全体を示すかご綱止め側の側面図である。
【００１０】
図において、昇降路１内には、第一のガイドレールとしてかごガイドレール２，３と、第二のガイドレールとして釣合おもりガイドレール４，５とが設置されている。かごガイドレール２は、昇降路１の奥行き方向の中間部付近で昇降路側壁１ａに対して固定されている。かごガイドレール３は、昇降路１の奥行き方向についてかごガイドレール２と同じ位置で昇降路側壁１ｂに対して固定されている。即ち、かごガイドレール２，３は、互いに対向している。 
【００１１】
釣合おもりガイドレール４，５は、昇降路１内の側壁１ｂ近傍に配置されており、互いに対向している。また、釣合おもりガイドレール４，５は、昇降路１の幅方向の同じ位置で昇降路後壁に対して固定されている。 
【００１２】
乗りかご６は、かごガイドレール２，３に沿って昇降路１内を昇降される。釣合おもり７は、釣合おもりガイドレール４，５に沿って昇降路１内を昇降される。釣合おもり７は、乗りかご６と同じ高さに位置するときに乗りかご６の側面に対向するように、乗りかご６の側方に配置されている。
【００１３】
釣合おもりガイドレール４，５の上端部には、乗りかご６及び釣合おもり７を昇降させる巻上機８が設置されている。巻上機８の大部分は、釣合おもり７の真上に配置されている。さらに、巻上機８は、軸方向寸法が軸方向に直角な方向の寸法よりも小さい薄型巻上機が用いられている。 
【００１４】
昇降路１内の頂部の昇降路側壁１ａの近傍には、第一の支持部材９が水平に配置されている。第一の支持部材９は、一方が昇降路１内の上部でかごガイドレール２に固定されている。また、第一の支持部材９の他方は、乗場側へ延伸されている。 
【００１５】
昇降路１内の頂部の昇降路側壁１ｂの近傍には、第二の支持部材１０が水平に配置されている。第二の支持部材１０は、一方が昇降路１内の上部で釣合おもりガイドレール５に固定されており、他方は乗場側へ延伸されている。 
【００１６】
昇降路１内の頂部の昇降路側壁１ｃの近傍には、一方が第一の支持部材９の乗場側に、他方が第二の支持部材１０の乗場側にそれぞれ固定された第三の支持部材１１が、かごドア装置１２の垂直投影面上から乗場側の昇降路壁１ｃとの間に略水平方向に配置されている。すなわち、第一の支持部材９と第二の支持部材１０と第三の支持部材１１とは連結固定されているため、この３つの支持部材のいずれかに作用する荷重は、かごガイドレール２及び釣合おもりガイドレール５で受け止める構造となっている。
【００１７】
乗場側から乗りかご６の上部の作業エリア１３まで往来するときに通過する経路上であって、乗りかご６の上部の乗場側には扉１４が立設されている。扉１４は、保守員が通行可能な開閉式の扉であって、垂直投影面から見て、第三の支持部材１１よりも反乗場側に配置されている。扉１４の蝶番部（図示しない）は、かご上手摺１５の乗場側の支柱に固定されている。かご上手摺１５は、反乗場（奥行き）側の１か所、奥行き方向に平行となる両側の２か所の計３か所に設けられているため、乗場側の扉１４は含んでいない。すなわち、作業エリア１３は、扉１４とかご上手摺１５とに囲まれた領域として形成されている。
【００１８】
乗りかご６及び釣合おもり７は、２：１ローピング方式で吊り下げられており、巻上機８の回転により互いに反対方向へ昇降される。乗りかご６及び釣合おもり７を昇降させるロープ１６は一端がかご側綱止め部１７に接続されており、他端は乗りかご６の下部に巻き掛けられて、さらに釣合おもり７に巻き掛けられた後、釣合おもり側の綱止め部（図示しない）に接続されている。
【００１９】
第一の支持部材９には、かご側綱止め部１７が固定されている。また、かご側綱止め部１７は、真上から見て、かご吊り車６ａの一部が重なるように配置されている。また、昇降路１内の頂部の第一の昇降路側壁１ａの乗場側近傍には、エレベータ制御盤１８が第一の支持部材９に連結固定されて配置されている。第一の支持部材９は、かごガイドレール２及び釣合おもりガイドレール５のみで荷重を受け止めるため、かご側綱止め部１７及びエレベータ制御盤１８は建築構造に依存せずに昇降路１内に配置可能となっている。
【００２０】
次に、上記のように構成された実施の形態１の動作について説明する。図１において、昇降路１の天井付近の乗場側から乗りかご６の上部作業エリア１３まで往来するとき、始めに扉１４は閉状態のため、手動で手前に引くことにより開状態にする。保守員は開状態にした扉１４を通過して、乗場側から作業エリア１３に移動完了後、開状態の扉１４を手動で再び閉状態にする。保守員は扉１４を閉状態にした後、作業エリア１３で作業をおこなう。
【００２１】
保守員が作業エリア１３において作業中、乗りかご６を上昇運転させるとき、扉１４扉１４は閉状態にされているので、保守員は垂直投影面から見て第三の支持部材１１の直上位置に立ち入ることはできない。そのため、保守員が作業エリア１３から乗りかご６を上昇運転させたとき、保守員の体の一部がかごドア装置１２と第三の支持部材１１との間に挟まれるのを防止する。
【００２２】
また、垂直投影面から見て、扉１４の取付位置は乗場側の近傍に設定することで、保守員が扉１４の外側（乗場側）に立って作業するスペースを小さくしても良い。具体的には、図６において、垂直投影面から見て、扉１４から乗場ドアまでの距離（Ａ）を３００ｍｍ以下にすれば、保守員が扉１４の外側（乗場側）に立った状態で扉１４を閉めることは困難となる。これにより、扉１４が閉められた状態では、保守員が扉１４の外側（乗場側）に立って作業できないので、保守員が作業エリア１３から乗りかご６を上昇運転させたとき、保守員の体の一部がかごドア装置１２と第三の支持部材１１との間に挟まれるのを効果的に防止できる。
【００２３】
上記のように実施の形態１によれば、昇降路１内に設けられた巻上機８に昇降路１上部にロープ端末部であるかご側綱止め部１７が固定される方式のロープ掛けによるエレベータロープを介して昇降可能に吊り下げられる乗りかご６および釣合い重り７と、乗りかご６および釣合い重り７の昇降をガイドする複数本のガイドレールとを有するエレベータ装置において、昇降路１を垂直投影面から見て、釣合い重り７の反対側の昇降路１頂部において昇降路側壁１ａと乗りかご６との間に略水平方向に配置され、一方がかごガイドレール２の上部に固定されると共に他方が乗場側へ延伸される第一の支持部材９と、第一の支持部材１０の反対側において昇降路側壁１ｂと乗りかご６との間に略水平方向に配置され、一方が釣合おもりガイドレール５の上部に固定されると共に他方が乗場側へ延伸される第二の支持部材１０と、かごドア装置１２の垂直投影面上から乗場側の昇降路壁１ｃとの間に略水平方向に配置され、一方が第一の支持部材９の乗場側に、他方が第二の支持部材１０の乗場側にそれぞれ固定される第三の支持部材１１と、垂直投影面から見て第三の支持部材１１よりも反乗場側の乗りかご６の上部に立設され、乗場から乗りかご６の上部の作業エリア１３まで保守員が往来するときに通過可能な開閉式の扉１４と、を備えることにより、第一の支持部材９または第二の支持部材１０または第三の支持部材１１のいずれかにかご側綱止め部１７やエレベータ制御盤１８などの機器を固定することで、昇降路１頂部の乗場付近の乗りかご６と昇降路壁１ｃとの間や、かごドア装置１２または乗場ドア装置と昇降路１内の天井との間のスペースに制御盤などの機器を建築構造に依存せずに配置することができる。また、保守員が作業エリア１３で作業する際、かごドア装置１２や乗場ドア装置側に侵入するのを防止することで、第三の支持部材１１とかごドア装置１２との間に保守員の体の一部または全部が挟まれることを効果的に防止可能なエレベータ装置を実現できる。
【００２４】
実施の形態２．
図５〜７は、この発明の実施の形態２によるエレベータ装置を説明するもので、図５は扉１４が閉状態を示す平面図であり、図６は扉１４が開状態を示す平面図、図７はエレベータ装置の要部を示す正面図である。この発明の実施の形態２によるエレベータ装置は、扉１４の開閉状態を検出する検出スイッチ１９を設けたことが異なり、それ以外の同様な部分に同じ記号を付記し説明を省略する。
【００２５】
図において、扉１４には扉１４の開閉状態を検出する検出スイッチ１９が設けられている。検出スイッチ１９は、扉１４の開閉状態を検出し、検出された状態を電気信号または接点状態で出力可能となっている。検出スイッチ１９で検出された扉１４の開閉状態を示す電気信号または接点状態は、乗りかご６を運転制御するエレベータ制御盤１８で認識可能となるように制御信号ケーブルなど（図示しない）を経由して繋がれている。
【００２６】
次に、上記のように構成された実施の形態２の動作について説明する。検出スイッチ１９で検出された扉１４が閉状態の場合、エレベータ制御盤１８は、作業エリア１３からの乗りかご６の運転指示を許可するため、作業エリア１３で作業する保守員は乗りかご６を運転可能となる。一方、検出スイッチ１９で検出された扉１４が開状態の場合、エレベータ制御盤１８は作業エリア１３からの乗りかご６の運転指示を許可しない。これにより、一方の保守員が垂直投影面から見て扉１４の直上で他方の保守員が作業していることに気付かない場合や、扉１４を閉め忘れた場合でも、乗りかご６は運転できない。そのため、保守員が作業エリア１３からかご６を上昇運転させたとき、第三の支持部材１１とかごドア装置１２との間に保守員の体の一部または全部が挟まれることを防止する。
【００２７】
また、扉１４を施錠または開錠するロック機構２０を設けても良い。ロック機構２０は扉１４に設けられ、エレベータ制御盤１８から乗りかご６の運転状態（運転または停止）が出力されるように信号ケーブルなど（図示しない）を経由して繋がれている。ロック機構２０は、乗りかご６の運転状態に応じて扉１４の開錠または施錠をおこなう。具体的には、乗りかご６が停止しているときは、扉１４を開錠し、運転しているときは、強制的に扉１４を施錠する。さらに、扉１４が開いた状態または半開き状態などによりロック機構２０が扉１４を施錠していない場合は、ロック機構２０から扉１４が施錠されていない状態をエレベータ制御盤１８に出力することで、乗りかご６の運転が許可されないように制御しても良い。
【００２８】
上記のように実施の形態２によれば、扉１４の開閉状態を検出する検出スイッチ１９を備え、エレベータ制御盤１８は検出スイッチ１９で検出された扉１４の開閉状態に応じて乗りかご６の運転を制御することにより、保守員が作業エリア１３で作業する際、扉１４が開状態の場合、作業エリア１３からの乗りかご６の運転指示を許可しない。これにより、扉１４が開状態または半開き状態では乗りかご６は運転できないので、第三の支持部材１１とかごドア装置１２との間に保守員の体の一部または全部が挟まれることを効果的に防止可能なエレベータ装置を実現できる。
【００２９】
また、上記のように実施の形態２によれば、扉１４を開錠または施錠するロック機構２０を備え、ロック機構２０はエレベータ制御盤１８から出力された乗りかご６の運転状態に応じて扉１４を開錠または施錠する。これにより、保守員が作業エリア１３で作業する際、乗りかご６が停止しているときは、扉１４は開錠されるので保守員の通行を妨げることはない。また、乗りかご６が運転しているときは、扉１４は施錠されるので保守員が誤って扉１４を開けて外側に出てしまうことを確実に防止できる
【００３０】
実施の形態３．
図８は、この発明の実施の形態３によるエレベータ装置を説明するもので、エレベータ装置全体を示す平面図である。この発明の実施の形態３によるエレベータ装置は、釣合おもりガイドレール４，５及び釣合おもり７が、昇降路１内の反乗場側１ｄ（奥行側）に設けられており、かつ第二の支持部材１０の一方がかごガイドレール３に固定されていることが異なり、それ以外の同様な部分に同じ記号を付記し説明を省略する。
【００３１】
エレベータによっては、釣合おもりガイドレール４，５及び釣合おもり７の位置が必ずしも乗場側に設けられていないため、第二の支持部材１０の一方が釣合おもりガイドレール４，５のいずれかに固定することができない場合がある。このような場合には、第二の支持部材１０の一方を釣合おもりガイドレール４，５ではなく、かごガイドレール３に固定しても良い。また、第一の支持部材９の中間部にかごガイドレール２を固定し、一端を釣合おもりガイドレール４，５に固定しても良い。この場合には、第一の支持部材９に作用する荷重は両端と中間の３点で支持されるので、実施の形態１及び実施の形態２の２点支持構造と比較して剛性をより高くすることができる。
【００３２】
上記のように実施の形態３によれば、第二の支持部材１０の一方を固定する場合、釣合おもりガイドレール４，５及び釣合おもり７の位置に影響を受けることが無いため、レイアウトの自由度を高くできると共に、実施の形態１及び実施の形態２と同等の効果を得られるエレベータ装置を実現できる。
【００３３】
なお、実施の形態１では、かご側綱止め部１７や制御盤１８は第一の支持部材９に固定されているが、昇降路１内に配置する機器のレイアウトや昇降路内に配置する機器との干渉を回避するため、第二の支持部材１０または第三の支持部材１１のいずれかを選択して固定しても良い。
【符号の説明】
【００３４】
１  昇降路、２、３  かごガイドレール、４  、５  おもりガイドレール、６  乗りかご、７  釣合おもり、８  巻上機、９  第一の支持部材、１０  第二の支持部材、１１  第三の支持部材、１２  かごドア装置、１３  作業エリア、１４  扉、１５  かご上手摺、１６  ロープ、１７  かご側綱止め部、１８  エレベータ制御盤、１９  検出スイッチ、２０  ロック機構  
【産業上の利用可能性】
【００３５】
本発明は、機械室レスエレベータに関して有効となる支持構造に関するものである。
【図１】
2017081789.tif 000003
【図２】
2017081789.tif 000004
【図３】
2017081789.tif 000005
【図４】
2017081789.tif 000006
【図５】
2017081789.tif 000007
【図６】
2017081789.tif 000008
【図７】
2017081789.tif 000009
【図８】
2017081789.tif 000010
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
昇降路内に設けられた巻上機に昇降路上部にロープ端末部が固定される方式のロープ掛けによるエレベータロープを介して昇降可能に吊り下げられる乗りかごおよび釣合い重りと、前記乗りかごおよび釣合い重りの昇降をガイドする複数本のガイドレールとを有するエレベータ装置において、
前記昇降路を垂直投影面から見て、前記釣合い重り側または前記釣合い重りの反対側の昇降路頂部において、昇降路壁と前記乗りかごとの間に略水平方向に配置され、一方が第一のガイドレールの上部に固定されると共に他方が乗場側へ延伸される第一の支持部材と、
前記第一の支持部材の反対側において前記昇降路壁と前記乗りかごとの間に略水平方向に配置され、一方が第二のガイドレールの上部に固定されると共に他方が乗場側へ延伸される第二の支持部材と、
かごドア装置の垂直投影面上から乗場側の前記昇降路壁との間に略水平方向に配置され、一方が前記第一の支持部材の乗場側に、他方が前記第二の支持部材の乗場側にそれぞれ固定される第三の支持部材と、
垂直投影面から見て前記第三の支持部材よりも反乗場側の前記乗りかごの上部に立設され、乗場から前記乗りかごの上部の作業エリアまで保守員が往来するときに通過可能な開閉式の扉と、
前記扉を開錠または施錠するロック機構と
を備え、
エレベータ制御盤から出力された前記乗りかごの運転状態に応じて前記ロック機構が前記扉を開錠または施錠することを特徴とするエレベータ装置。
【請求項２】
前記エレベータロープの端末部が前記第一の支持部材または前記第二の支持部材または前記第三の支持部材のいずれかに固定されていることを特徴とする請求項１に記載のエレベータ装置。
【請求項３】
前記昇降路内に設けられる前記エレベータ制御盤などの機器が前記第一の支持部材または前記第二の支持部材または前記第三の支持部材のいずれかに連結固定されていることを特徴とする請求項１または請求項２のいずれかに記載のエレベータ装置。
【請求項４】
前記扉の開閉状態を検出する検出手段を備え、前記検出手段で検出した前記扉の開閉状態に応じて前記エレベータ制御盤が前記乗りかごの運転を制御することを特徴とする請求項１〜３のいずれかに記載のエレベータ装置。
【国際調査報告】
2017081789.tif 000011
2017081789.tif 000012
2017081789.tif 000013
2017081789.tif 000014